(57)【特許請求の範囲】
【請求項１】
外観となる部分に第１のカバー部材と第２のカバー部材とが互いに当接する合わせ面が出現するように前記第１のカバー部材と前記第２のカバー部材とを組み合わせた外装カバーであって、
前記第１のカバー部材の外観とならない部分に溶着ボスおよび凸部が形成され、
前記第２のカバー部材の外観とならない部分に前記溶着ボスが挿入される穴部および前記凸部が挿入される長穴部が形成され、
前記溶着ボスおよび前記穴部は、前記溶着ボスを前記穴部に挿入した際に、前記溶着ボスが前記穴部に対してガタを持つように形成され、
前記凸部および前記長穴部は、前記凸部を前記長穴部に挿入した際に、前記長穴部と前記第２のカバー部材の端辺部との間の領域が変形するように形成され、
前記凸部を前記長穴部に挿入して、前記領域を変形させることで、前記合わせ面にて前記第１のカバー部材と前記第２のカバー部材とを互いに当接させ、
前記合わせ面にて前記第１のカバー部材と前記第２のカバー部材とを互いに当接させた状態にて、前記溶着ボスを溶融することで前記第１のカバー部材と前記第２のカバー部材とを溶着することを特徴とする外装カバー。
【請求項２】
前記第１のカバー部材と前記第２のカバー部材との溶着箇所は前記合わせ面よりも前記領域に近い位置に配置することを特徴とする請求項１に記載の外装カバー。
【発明の詳細な説明】
【技術分野】
【０００１】
本発明は外装カバーに関するもので、特に２つの部品を溶着にて固定することで形成される外装カバーに関するものである。
【背景技術】
【０００２】
２つの部品を溶着することで外装カバーを形成することが知られている。例えば、子器本体ケース２にカバー体４を溶着するカメラ付ドアホン子器用筐体が知られている。（特許文献１参照）
【先行技術文献】
【特許文献】
【０００３】
【特許文献１】特開２００１−２６８１９４号公報
【発明の概要】
【発明が解決しようとする課題】
【０００４】
溶着は樹脂を溶かして接合するものであるので、２つの部品を溶着にて固定する際には、２つの部品を固定した状態で溶着する必要がある。一般的には、治具を用いて一方の部品を他方の部品に押さえつけて溶着を行っている。しかしながら、溶着方向へ部品同士を押さえるだけでは溶着方向に垂直ではない合わせ面に隙間が生じてしまう。このような隙間を生じさせないために、溶着方向に垂直ではない合わせ面を接合させる方向に部品同士を押さえる必要があり、治具が複雑になる問題点があった。
【０００５】
本発明はこのような課題に鑑みて、溶着前に２つの部品を組み合わせるだけで、２つの部品の間に引き込み合う力を生じさせる外装カバーを提供するものである。
【課題を解決するための手段】
【０００６】
本発明の外装カバーは、外観となる部分に第１のカバー部材と第２のカバー部材とが互いに当接する合わせ面が出現するように前記第１のカバー部材と前記第２のカバー部材とを組み合わせた外装カバーであって、前記第１のカバー部材の外観とならない部分に溶着ボスおよび凸部が形成され、前記第２のカバー部材の外観とならない部分に前記溶着ボスが挿入される穴部および前記凸部が挿入される長穴部が形成され、前記溶着ボスおよび前記穴部は、前記溶着ボスを前記穴部に挿入した際に、前記溶着ボスが前記穴部に対してガタを持つように形成され、前記凸部および前記長穴部は、前記凸部を前記長穴部に挿入した際に、前記長穴部と前記第２のカバー部材の端辺部との間の領域が変形するように形成され、前記凸部を前記長穴部に挿入して、前記領域を変形させることで、前記合わせ面にて前記第１のカバー部材と前記第２のカバー部材とを互いに当接させ、前記合わせ面にて前記第１のカバー部材と前記第２のカバー部材とを互いに当接させた状態にて、前記溶着ボスを溶融することで前記第１のカバー部材と前記第２のカバー部材とを溶着することを特徴とする。
【発明の効果】
【０００７】
本発明によれば、溶着前に２つの部品を組み合わせるだけで、２つの部品の間に引き込み合う力を生じさせることが可能となる。
【図面の簡単な説明】
【０００８】
【図１】ビデオカメラの外装カバーの分解斜視図。
【図２】第１のカバー部材１０１と第２のカバー部材１１１とを組み立て状態を説明する図。
【図３】図２（ｃ）のＡ−Ａ断面図。
【発明を実施するための形態】
【０００９】
図１は本発明の実施形態の一例としてのビデオカメラの外装カバーの分解斜視図である。図１（ａ）は本実施形態の外装カバーを内側から見た分解斜視図で、図１（ｂ）は本実施形態の外装カバーを外側から見た分解斜視図である。
【００１０】
図１に示されるように、本実施形態の外装カバーは第１のカバー部材１０１と第２のカバー部材１１１から構成されている。第１のカバー部材１０１の第２のカバー部材１１１との接合部分には、溶着ボス１０２および凸部１０３が形成されている。第２のカバー部材１１１の第１のカバー部材１０１との接合部分には、溶着ボス１０２が挿入される穴部１１２および凸部１０３が挿入される長穴部１１３が形成されている。
【００１１】
図２は第１のカバー部材１０１と第２のカバー部材１１１とを組み立て状態を説明する図である。図２（ａ）は組み立て状態の外装カバーを内側から見た斜視図で、図２（ｂ）は組み立て状態の外装カバーを外側から見た斜視図である。図２（ｃ）は組み立て状態の外装カバーを内側から見た正面図である。
【００１２】
図２に示されるように、第１のカバー部材１０１の溶着ボス１０２を第２のカバー部材１１１の穴部１１２に挿入するとともに、第１のカバー部材１０１の凸部１０３を第２のカバー部材１１１の長穴部１１３に挿入する。これによって、第１のカバー部材１０１と第２のカバー部材１１１とを組み立て状態となる。図２（ｂ）において、符号１２１は第１のカバー部材１０１と第２のカバー部材１１１との外観となる合わせ面となっている。
【００１３】
ここで、穴部１１２の直径は溶着ボス１０２の直径に対してガタを持つように設定されている。一方、長穴部１１３と凸部１０３との関係は図２（ｄ）のように設定されている。すなわち、長穴部１１３の幅方向の寸法Ｗ１は凸部１０３の幅方向の寸法Ｗ２に対して約３倍となるように設定し、長穴部１１３の長さ方向の寸法Ｌ１は凸部１０３の長さ方向の寸法Ｌ２よりもわずかに小さく設定されている。第１のカバー部材１０１と第２のカバー部材１１１とを図２に示すように組み立てたときに、凸部１０３の中心と長穴部１１３の中心とが略一致する位置関係となっている。さらに、長穴部１１３は第２のカバー部材１１１の端辺部近傍に形成されている。
【００１４】
したがって、長穴部１１３に凸部１０３を挿入することで、長穴部１１３と第２のカバー部材の端辺部との間の領域１１４が弾性変形あるいは塑性変形して、第２のカバー部材１１１を第１のカバー部材１０１に引き寄せる付勢力を発生させる。この付勢力によって、第２のカバー部材１１１が第１のカバー部材１０１に付勢され、図２（ｂ）に示す第１のカバー部材１０１と第２のカバー部材１１１との合わせ面１２１の隙間をつめることができる。このとき、穴部１１２と溶着ボス１０２との間にはガタを持つように形成しているので、穴部１１２と溶着ボス１０２が上述した付勢力を妨げることはない。溶着ボス１０２、穴部１１２は必ずしも円筒形と円形である必要はなく溶着にて固定できる形状であればよい。
【００１５】
第１のカバー部材１０１と第２のカバー部材１１１とを、図２に示すように組み立てた後、溶着ボス１０２を溶融することで、第１のカバー部材１０１と第２のカバー部材１１１とを溶着固定する。
【００１６】
図３は図２（ｃ）のＡ−Ａ断面である。図３において、Ｚ１は溶着ボス１０２を溶融する方向を示している。したがって、領域１１４が変形することで発生させる付勢力は第１のカバー部材１０１と第２のカバー部材１１１の溶着方向と略直交する方向となる。
【００１７】
また、図３に図示されるように、合わせ面１２１と凸部１０３との間に溶着ボス１０２が位置する。すなわち、第１のカバー部材１０１と第２のカバー部材１１１との溶着箇所は断面図で見たときには、合わせ面１２１と領域１１４との間に位置する。しかし、図２（ｃ）に図示される角度から見ると、合わせ面１２１と凸部１０３との間を避けて、溶着ボス１０２を配置している。この配置により、付勢力が溶着箇所に対して偏り、溶着時に浮きを生じることを防止する効果がある。
【００１８】
このように、長穴部１１３に凸部１０３を挿入して、第２のカバー部材１１１を第１のカバー部材１０１に引き寄せる付勢力を発生させることで、溶着時に治具を用いて第２のカバー部材１１１を第１のカバー部材１０１に押し付ける必要がなくなる。
【符号の説明】
【００１９】
１０１  第１のカバー部材
１０２  溶着ボス
１０３  凸部
１１１  第２のカバー部材
１１２  穴部
１１３  長穴部
１１４  領域
１２１  合わせ面
【図１】
0005610757.tif 000002
【図２】
0005610757.tif 000003
【図３】
0005610757.tif 000004